(57)【要約】【課題】ユーザー自身が調整する必要がなく、色々の種類の携帯式電子製品の充電電池の充電に適用できること。【解決手段】複数のプローブと、検知回路と、充電回路と、制御ＩＣとを含み、前記プローブが、ベース体上に設けられ、前記各プローブが、検知回路と充電回路に並列に接続され、前記検知回路と前記充電回路が、制御ＩＣに制御可能に接続されていて、前記各プローブに夫々完全な検知機能と充電機能を付与したことを特徴とする。【選択図】図１
0003119398.tif 000002
【実用新案登録請求の範囲】
【請求項１】
複数のプローブと、検知回路と、充電回路と、制御ＩＣとを含み、
前記プローブが、ベース体上に設けられ、
前記各プローブが、検知回路と充電回路に並列に接続され、
前記検知回路と前記充電回路が、制御ＩＣに制御可能に接続されていて、
インテリジェントな汎用充電器が形成されるように、前記各プローブに夫々完全な検知機能と充電機能を付与したことを特徴とする、
単点式充電器プローブモジュール。
【請求項２】
前記プローブは、針状に設けられ、上部に貫通穴が設けられるスリーブ内に挿入され、前記プローブの底部に、更に、スプリングが設けられ、複数の内部にプローブとスプリングが設けられるスリーブをベース体に結合することを特徴とする、請求項１に記載の単点式充電器プローブモジュール。
【請求項３】
前記プローブは、板状に設けられ、上部に貫通穴が設けられるスリーブ内に挿入され、前記プローブの底部に、更に、スプリングが設けられ、また、複数の内部にプローブとスプリングが設けられるスリーブをベース体に結合することを特徴とする、請求項１に記載の単点式充電器プローブモジュール。
【請求項４】
前記プローブは、針状に設けられ、下方に、接続されるバネ板が設けられ、複数のプローブがベース体を貫通し、前記バネ板のもう一端が、ベース体に固定されて結合されることを特徴とする、請求項１に記載の単点式充電器プローブモジュール。
【請求項５】
前記プローブは、板状に設けられ、下方に、接続されるバネ板が設けられ、複数のプローブがベース体を貫通し、前記バネ板のもう一端が、ベース体に固定されて結合されることを特徴とする、請求項１に記載の単点式充電器プローブモジュール。
【請求項６】
前記バネ板は、湾曲部があり、前記ベース体の上部に、やや大きい貫通穴が設けられ、前記プローブが上下や前後左右へ移動できることを特徴とする、請求項４或いは５に記載の単点式充電器プローブモジュール。
【請求項７】
前記充電回路とプローブとの間に、更に、電流保護回路が設けられることを特徴とする請求項１に記載の単点式充電器プローブモジュール。
【考案の詳細な説明】
【技術分野】
【０００１】
本考案は、単点式充電器プローブモジュールに関し、色々の種類の携帯式電子製品の携帯式リチウム電池や類似する構成を有する電量補充の充電器に適用することができる単点式充電器プローブモジュールに関するものである。
【背景技術】
【０００２】
新規な電子情報器具の発展に従って、例えば、携帯電話やディジタルカメラ等の情報製品が大量に登場したが、メーカの運営方式と設計需要が異なるため、各ブランド毎に独自の電池形式を採用している。各ブランド毎に電池の電力入出力端子の位置が異なるため、電池を充電するには、各形式の電池について専用の充電器を使用しなければ充電することができない。
【０００３】
上記の問題を解消するために、市場に、汎用型充電器として、例えば、中華民国公告第Ｍ２８００５２号「泛用型携帯電話電池充電器」や公告第Ｍ２６５７７２号「汎用型電器電池充電器」及び公告第４０７８１６号「汎用型充電器代替結構」等が提案されている。これらの汎用型電池充電器により、各形式の電池に充電をすることができる。上記した特許は、各形式の電池に対して充電する機能を実現できるが、従来の汎用型電池充電器は、充電端子の位置や電圧或いは電流の大きさ等の規格を、ユーザー自身により調整してからでないと充電できず、電気の知識を知らないユーザーにとっては不便である。
【０００４】
本考案は、上記の問題点を解消するため、慎重に研究して、調整することが必要なく、色々の種類の携帯式電子製品の充電電池に適用できる汎用型充電器である単点式充電器プローブモジュールを提案する。
【考案の開示】
【考案が解決しようとする課題】
【０００５】
本考案の主な目的は、ユーザー自身が調整する必要がなく、色々の種類の携帯式電子製品の充電電池の充電に適用できる単点式充電器プローブモジュールを提供することにある。
【課題を解決するための手段】
【０００６】
本考案は、上記の目的を達成するために、複数のプローブと、検知回路と、充電回路と、制御ＩＣとが含有され、前記プローブが、ベース体上に設けられ、また、前記各プローブが、検知回路と充電回路とに並列に接続され、前記検知回路と前記充電回路が、更に、制御ＩＣに接続されることにより、各プローブに、それぞれ、完全な検知機能と電量補充機能が持たされることにより、インテリジェントな汎用充電器が形成される単点式充電器プローブモジュールである。
【０００７】
即ち、本願の第１考案は、複数のプローブと、検知回路と、充電回路と、制御ＩＣとを含み、前記プローブが、ベース体上に設けられ、前記各プローブが、検知回路と充電回路に並列に接続され、前記検知回路と前記充電回路が、制御ＩＣに制御可能に接続されていて、インテリジェントな汎用充電器が形成されるように、前記各プローブに夫々完全な検知機能と充電機能を付与したことを特徴とする、単点式充電器プローブモジュールを提供する。
本願の第２考案は、前記プローブは、針状に設けられ、上部に貫通穴が設けられるスリーブ内に挿入され、前記プローブの底部に、更に、スプリングが設けられ、複数の内部にプローブとスプリングが設けられるスリーブをベース体に結合することを特徴とする、前記第１考案に記載の単点式充電器プローブモジュールを提供する。
本願の第３考案は、前記プローブは、板状に設けられ、上部に貫通穴が設けられるスリーブ内に挿入され、前記プローブの底部に、更に、スプリングが設けられ、また、複数の内部にプローブとスプリングが設けられるスリーブをベース体に結合することを特徴とする、前記第１考案に記載の単点式充電器プローブモジュールを提供する。
本願の第４考案は、前記プローブは、針状に設けられ、下方に、接続されるバネ板が設けられ、複数のプローブがベース体を貫通し、前記バネ板のもう一端が、ベース体に固定されて結合されることを特徴とする、前記第１考案に記載の単点式充電器プローブモジュールを提供する。
本願の第５考案は、前記プローブは、板状に設けられ、下方に、接続されるバネ板が設けられ、複数のプローブがベース体を貫通し、前記バネ板のもう一端が、ベース体に固定されて結合されることを特徴とする、前記第１考案に記載の単点式充電器プローブモジュールを提供する。
本願の第６考案は、前記バネ板は、湾曲部があり、前記ベース体の上部に、やや大きい貫通穴が設けられ、前記プローブが上下や前後左右へ移動できることを特徴とする、前記第４或いは５考案に記載の単点式充電器プローブモジュールを提供する。
本願の第７考案は、前記充電回路とプローブとの間に、更に、電流保護回路が設けられることを特徴とする、前記第１考案に記載の単点式充電器プローブモジュールを提供する。
【考案の効果】
【０００８】
以上のように、本考案の裝置は、以下の実用利点を提供できる。
【０００９】
（１）プローブモジュールを利用して作製される充電器は、ユーザー自身が調整しなくても、形式の異なる各種類の電池に充電するインテリジェントな汎用な充電器を提供できる。
【００１０】
（２）本考案のプローブモジュールは、一つの電池を充電できるだけでなく、それぞれに独立するプローブにより、プローブと接触する電池に必要とする電圧と電流量を検知することができ、各プローブが独立に作業できるため、同時に、複数の電池に対して充電をできる充電器が得られる。
【考案を実施するための最良の形態】
【００１１】
以下、図面を参照しながら、具体的な実施例を挙げて、本考案の特徴が良く分かるように説明する。
【００１２】
図１〜３に本考案に係わる単点式充電器プローブモジュールを示す。本考案に係わる単点式充電器プローブモジュールは、複数のプローブ１００と、検知回路１１と、充電回路１２と、制御ＩＣ１３とを具備する。当該プローブ１００は、可動的にベース体１０に結合され、当該各プローブ１００は、板状や針状に設けられる(図４参照)。各プローブ１００を、上部に貫通穴が設けられるスリーブ１０１に挿入し、また、スプリング１０２をプローブ１００の下方に嵌設してから、内部にプローブ１００とスプリング１０２が設けられたスリーブ１０１をベース体１０と結合する。また、各プローブ１００を、検知回路１１と充電回路１２に並列に接続する。また、当該検知回路１１と充電回路１２を、更に、制御ＩＣ１３に接続して、組立てを完成する。
【００１３】
また、図５、６のように、当該プローブ１００とバネ板１０３がＬ形状であってもよく、同じよう、当該プローブ１００が針状や板状であってもよい。当該プローブ１００の下方に接続されるバネ板１０３の端部が、ベース体１０に固定されて結合される。
【００１４】
図７を参照しながら説明する。当該板状や針状であるプローブ１００は、一端に湾曲部１０３１があるバネ板１０３に接続され、また、当該プローブ１００は、ベース体１０の上部にあるやや大きい貫通穴１０４に挿入され、また、バネ板１０３のもう一端が、ベース体１０に接続され、これにより、当該プローブ１００は、上下へ移動するだけでなく、前後左右へ移動することができるため、電池の電極に接触することが簡単である。
【００１５】
図２を参照しながら説明する。当該プローブモジュール１上の各プローブ１００は、それぞれ、検知回路１１と充電回路１２とに並列に接続され、また、当該充電回路１２とプローブ１００との間に、更に、電流保護回路１４が設けられる。
【００１６】
使用する時は、電源２０が、電気エネルギーを、検知回路１１と制御ＩＣ１３及び充電回路１２へ提供する。電池３０がプローブモジュール１に接触して充電する時、制御ＩＣ１３により、検知回路１１が起動され、電池３０に必要とされる電圧と電流が検知される。電池３０の電圧量と電流量を検知した後、当該制御ＩＣ１３が、必要とする電圧量と電流量を提供するように、充電回路１２を制御し、電流保護回路１４を介して、必要とする電量を、電池３０の電極に接触するプローブ１００に伝送して、形式の異なる各種類の電池３０に対して充電することができる。
【００１７】
また、当該プローブモジュール１は、一つの電池３０を充電できるだけでなく、同時に、二つの電池に充電することができる。二つの電池に充電する場合、二つの電池がプローブモジュール１に接触すると、検知回路１１により、二つの電池が、それぞれに、必要とする電量を検知する。当該充電回路１２が提供する電量は、電流保護回路１４を介して、二つの電池に提供して充電する。
【００１８】
以上は、本考案のより良い実施例であり、本考案の実用新案登録請求の範囲は、それによって制限されず、また、本技術を良く分かる熟練者による等価の変更や修正は、全てが本考案の実用新案登録請求の範囲に含まれる。
【図面の簡単な説明】
【００１９】
【図１】本考案の実施例の立体外観図
【図２】本考案の実施例の回路のブロック図
【図３】本考案のプローブの第１の応用例の断面図。
【図４】本考案のプローブの第１の応用例の他の形態の断面図
【図５】本考案のプローブの第２の応用例の断面図
【図６】本考案のプローブの第２の応用例の他の形態の断面図
【図７】本考案のプローブの第３の応用例の断面図
【符号の説明】
【００２０】
１                プローブモジュール
１０              ベース体
１００            プローブ
１０１            スリーブ
１０２            スプリング
１０３            バネ板
１０３１          湾曲部
１０４            貫通穴
１１              検知回路
１２              充電回路
１３              制御ＩＣ
１４              電流保護回路
２０              電源
３０              電池
【図１】
0003119398.tif 000003
【図２】
0003119398.tif 000004
【図３】
0003119398.tif 000005
【図４】
0003119398.tif 000006
【図５】
0003119398.tif 000007
【図６】
0003119398.tif 000008
【図７】
0003119398.tif 000009